(57)【要約】【課題】床上及び床下間の温度差による不具合を防止でき、床下空間における過度の膨潤による不具合を防止できる地下室用床下地を提供する。【解決手段】コンクリートスラブ等の設置面１上に、非透湿性の断熱パネル１１が敷設されて断熱層１０が設けられる。硬質性及び非透湿性の台座３０が断熱パネル１１の台座設置孔１２内に収容されて設置面１上に配置されるとともに、台座３０の外周面が設置孔１２の内周面にシール剤３５を介して密封される。支持脚４０が台座３０上に配置されて、支持脚上端のパネル受け板４３が断熱層１０の上面よりも上方に配置される。床下地パネル６０が支持脚４０のパネル受け板４３に取り付けられる。【選択図】　　　図１
2004068345.tif 000002
【特許請求の範囲】
【請求項１】
設置面上に設けられた非透湿性の断熱材からなり、上下に貫通する台座設置孔を有する断熱層と、
前記台座設置孔内における前記設置面上に、前記台座設置孔の内周面との間を密封した状態に配置される硬質性及び非透湿性の台座と、
前記台座上に配置され、上端部が前記断熱層の上面よりも上方に配置される支持脚と、
前記支持脚の上端部に取り付けられる床下地材とを備える床下地構造。
【請求項２】
前記台座の上端面が、前記断熱層の上面よりも低い位置に配置されるとともに、
前記断熱層における台座設置孔の上端に、その上端を閉塞する態様に閉塞カバーが取り付けられてなる請求項１記載の床下地構造。
【請求項３】
前記台座の外周面と前記台座設置孔の内周面との間に、シール剤が配設されて、その間が密封されてなる請求項１又は２記載の床下地構造。
【請求項４】
前記断熱層が、前記設置面上に面状に複数併設された断熱パネルにより形成され、
隣合う前記断熱パネルの接合部に、防湿処理が施されてなる請求項１ないし３のいずれかに記載の床下地構造。
【請求項５】
前記断熱層の上面に、防湿シートが敷設されてなる請求項１ないし４のいずれかに記載の床下地構造。
【請求項６】
前記断熱層が、前記設置面上に面状に複数併設された断熱パネルにより形成され、
隣合う前記断熱パネルの接合部に沿ってシール剤が配設されてなる請求項１ないし５のいずれかに記載の床下地構造。
【請求項７】
前記断熱層が、前記設置面上に面状に複数併設された断熱パネルにより形成され、
隣合う前記断熱パネルの接合部に沿って、シール用テープが貼着されてなる請求項１ないし６のいずれかに記載の床下地構造。
【請求項８】
請求項１ないし７のいずれかに記載の床下地構造が適用されて形成されてなることを特徴とする地下室用床下地。
【発明の詳細な説明】
【０００１】
【発明の属する技術分野】
この発明は、例えば建築物内における鉄筋コンクリート製のベタ基礎やコンクリートスラブ等の設置面上に施工される床下地構造及び地下室用床下地に関する。
【０００２】
【従来の技術】
従来、建築物のコンクリート製地下室において、床スラブ等の設置面上に施工される床下地構造としては、例えば特許文献１等に開示されるものがある。
【０００３】
【特許文献１】
特公昭６３−１６５３７号（図４、図５）
この床下地構造は、設置面上に合成樹脂発泡成形体等からなる断熱パネルを敷設し、その上に配筋してからコンクリートを打設して床下地を形成するものである。
【０００４】
しかしながら、この床下地構造は、設置面上に打設したコンクリートを養生硬化させるようにした、いわゆる湿式工法であるため、コンクリートを打設後、少なくとも２〜３日間は養生させる必要があり、その分、工期が長くなってしまう。
【０００５】
更にコンクリート表面は、通常平坦ではなく、水平性にバラツキがあるため、コンクリート表面をモルタルで仕上げたり、セルフレベリング材を流し込んだりあるいは部分的な凹凸を補修して、水平レベルのバラツキを小さくする等のレベリング作業が必要となり、作業工数が多く、施工作業が困難になってしまう。
【０００６】
一方、地下室に限られず、通常の床下地構造として、特許文献２等に開示されたものが周知である。
【０００７】
【特許文献２】
特開平５−３４００７１号（図４、図５）
この床下地構造は、床スラブ等の設置面上に、高さ調整自在な複数の支持脚が縦横に所定の間隔おきに設置されるとともに、複数の支持脚の上端に、複数の床下地パネルが設置面から間隔をおいて水平配置に面状に取り付けられて、床下地が形成される。そしてその床下地上に床材等が敷設されて、床仕上げが施されるものである。
【０００８】
この床下地構造は、乾式二重床工法と称されるもので、養生硬化期間を設ける必要がなく、工期を短縮できるとともに、支持脚の高さ調整によって、床下地パネルのレベリング作業も容易に行うことができる。
【０００９】
【発明の背景】
そこで本願出願人は、地下室用床下地において、施工作業の簡略化及び工期の短縮等を図ることを目的にして、上記特許文献２に示すような乾式工法の床下地構造を採用するという技術について検討した。
【００１０】
【発明が解決しようとする課題】
しかしながら、上記特許文献２の床下地構造を地下室に採用した場合について詳細に検討したところ、下記の問題が発生することを確認できた。
【００１１】
まず、地下室は地中に設置されるため、地下室内の温度は地中の温度（１０〜１５℃）に近い温度に設定される。
【００１２】
ところが、地下室内において、床下地パネルや床材等の浮き床部よりも上方の居住空間（床上空間）では、出入口を介して外気が導入されるため、例えば夏季では高温多湿の外気が導入されて、床上空間では温度が２５℃、湿度が８０％ＲＨ程度にまで上昇する。これに対し、地下室内の浮き床部よりも下方の空間（床下空間）では、上記したように地中温度に近い温度に調整される。
【００１３】
このように床下空間に対し床上空間の温度が極端に高くなる場合があり、その場合、例えば床上及び床下間に配置される床材の表面に、結露が発生する等の不具合が生じるという問題があった。
【００１４】
また設置面としての床スラブには、地下の土壌に含まれる水分が浸入し、設置面表面に多量の水分が付着している場合がある。その場合、付着水分が蒸発して、床下地パネルの裏面に吸収されると、その裏面における水分含有量が増加する。その状態において、床下地パネルの裏面温度が、高温の床上空間の影響を受けて上昇すると、カビが発生する等の不具合が生じる恐れもあった。
【００１５】
この発明は、上記の観点に基づいてなされたもので、床上及び床下間の温度差による不具合、例えば床材表面における結露の発生等の不具合を防止できるとともに、床下地材裏面側における過度の吸湿による不具合、例えばカビの発生等の不具合を防止できる上更に、工期を短縮できて、簡単に施工することができる床下地構造及び地下室用床下地を提供することを目的とする。
【００１６】
【課題を解決するための手段】
上記目的を達成するため、本第１発明の床下地構造は、設置面上に設けられた非透湿性の断熱材からなり、上下に貫通する台座設置孔を有する断熱層と、前記台座設置孔内における前記設置面上に、前記台座設置孔の内周面との間を密封した状態に配置される硬質性及び非透湿性の台座と、前記台座上に配置され、上端部が前記断熱層の上面よりも上方に配置される支持脚と、前記支持脚の上端部に取り付けられる床下地材とを備えるものを要旨としている。
【００１７】
本第１発明の床下地構造は、断熱層及び台座による防湿作用によって、断熱層の表面側と裏面側との雰囲気が遮断されるため、設置面表面の水分が断熱層表面側に浸入するのを防止でき、断熱層及び床下地材間における床下空間の湿度が過度に上昇するのを防止することができる。このため、床下地パネルにおける水分含有量を少なくでき、その床下地材の温度が床上空間の温度影響により上昇したとしても、カビ等が発生するのを防止することができる。
【００１８】
また、設置面上に断熱層を形成するものであるため、設置面側から床下空間への熱による悪影響を回避でき、床下及び床上間の温度差を小さくすることができる。このため例えば、床上空間に対し床下空間の温度が極端に低下するのを防止でき、仕上げ床表面等に結露が発生するのを防止することができる。
【００１９】
更に本第１発明の床下地構造は、コンクリート等の養生硬化材等を用いない二重床乾式工法であるため、養生期間が不要となり、その分、工期を短縮できるとともに、支持脚の高さ調整操作によって、床下地材のレベリング作業も容易に行うことができる。
【００２０】
本第１発明においては、前記台座の上端面が、前記断熱層の上面よりも低い位置に配置されるとともに、前記断熱層における台座設置孔の上端に、その上端を閉塞する態様に閉塞カバーが取り付けられてなる構成を採用するのが好ましい。
【００２１】
すなわちこの構成を採用する場合には、台座設置孔の上部に空気断熱層が形成されるため、台座設置孔の部分における断熱性を向上させることができる。
【００２２】
また本第１発明においては、前記台座の外周面と前記台座設置孔の内周面との間に、シール剤が配設されて、その間が密封されてなる構成を採用するのが良い。
【００２３】
すなわちこの構成を採用する場合には、台座設置孔の部分を、より確実に防湿することができ、床下空間内への水分の浸入をより確実に防止することができる。
【００２４】
また、本第１発明においては、前記断熱層が、前記設置面上に面状に複数併設された断熱パネルにより形成され、隣合う前記断熱パネルの接合部に、防湿処理が施されてなる構成を採用するのが望ましい。
【００２５】
すなわちこの構成を採用する場合には、床下空間内への水分の浸入を、より一層確実に防止することができる。
【００２６】
本第１発明において、断熱層を構成する複数の断熱パネルの接合部等を防湿して、防湿性をより一層向上させるため、以下の構成を採用するのが、より一層好ましい。
【００２７】
すなわち本第１発明においては、前記断熱層の上面に、防湿シートが敷設されてなる構成、前記断熱層が、前記設置面上に面状に複数併設された断熱パネルにより形成され、隣合う前記断熱パネルの接合部に沿ってシール剤が配設されてなる構成、又は、前記断熱層が、前記設置面上に面状に複数併設された断熱パネルにより形成され、隣合う前記断熱パネルの接合部に沿って、シール用テープが貼着されてなる構成を採用するのが、より一層好ましい。
【００２８】
一方、上記第１発明は、設置面側の温度及び湿度による悪影響を回避し得る床下地構造を特定するものでるため、設置面側の温度及び湿度による影響を受け易い地下室用床下地に適用した場合、特に有益である。
【００２９】
すなわち本第２発明の地下室用床下地は、上記第１発明の記載の床下地構造が適用されて形成されてなるものを要旨としている。
【００３０】
【発明の実施の形態】
図１ないし図３はこの発明の実施形態である床下地構造が適用された地下室用床下地を示す図である。これらの図に示すように、本実施形態の床下地は、地下室の設置面（１）上に組付施工される乾式二重床構造を形成するものであって、設置面（１）上に設けられる断熱層（１０）、台座（３０）、支持脚（４０）、閉塞カバー（５０）及び床下地パネル（６０）等を基本的な構成要素として備えている。
【００３１】
本実施形態において、設置面（１）は、鉄筋コンクリート製のベタ基礎や、コンクリートスラブ等の構造上耐久性を有する平面基盤等によって構成されている。
【００３２】
また断熱層（１０）は、断熱材からなる平面視矩形状の複数の断熱パネル（１１）をもって構成されている。
【００３３】
この断熱パネル（１１）には、その所定位置に、表裏面（上下面）間を貫通する円柱状の台座設置孔（１２）が形成されている。更にパネル（１１）の裏面側には、設置面（１）上の湧水を排出するための裏溝（１３）が適当数形成されている。
【００３４】
なお言うまでもなく、裏溝（１３）は、湧水を流すことができるものであれば良く、形状、大きさ、形成数は任意に設定されるものである。
【００３５】
更に台座設置孔（１２）の形状や大きさも特に限定されるものではなく、後に詳述する台座（３０）や支持脚（４０）に対応させて、形状や大きさが設定されるものである。
【００３６】
また断熱パネル（１１）は、非透湿性（非透水性）及び断熱性を有する材料からなるものであれば、特に限定されるものではないが、合成樹脂発泡成形体からなるものを好適に用いることができる。例えば、ポリエチレン樹脂、ポリプロピレン樹脂、ポリスチレン樹脂、ポリウレタン樹脂、フェノール樹脂、ＡＢＳ樹脂等の合成樹脂の発泡成形体からなるものを好適に用いることができる。
【００３７】
断熱パネル（１１）として、合成樹脂の発泡成形体からなるものを用いる場合、軟質及び硬質のいずれのものでも用いることができる。例えば軟質のものを用いる場合には、断熱パネル（１１）を、搬送時、搬入時等において、容易に、折り畳んだり、ロール状に巻回することができるため、施工床面積が広い場合でも、１枚物あるいは少数のパネルで床全面を施工することができる。しかしながら、本実施形態において、設置面（１）上に敷設した断熱パネル（１１）上に乗って作業を行うものであるため、その作業性を考慮すると、断熱パネル（１１）としては、硬質のものを用いるのが好ましい。
【００３８】
詳述すると、断熱パネル（１１）としては、施工時に上面に乗っても凹まない程度の硬質材料からなるもの、あるいはたとえ凹んだとしてもその凹み量が施工作業に支障のない程度の硬質性を有するものを用いるのが好ましい。具体的には、圧縮強さが１．８Ｋｇ／ｃｍ２　＝１８ｔｏｎ／ｍ２　（５％歪み又は降伏値）ＪＩＳ、密度が２５Ｋｇ／ｍ３　程度以上、発泡倍率が３５倍程度以下のものからなる断熱パネル（１１）を用いるのが好ましい。
【００３９】
また、断熱パネル（１１）としては、濡れる可能性の高い設置面（１）上に敷設するものであるため、吸水性の低い独立気泡タイプの発泡成形体からなるものを用いるのが望ましい。
【００４０】
更に断熱パネル（１１）の厚さは、床下高さと断熱性等を考慮して適宜設定すれば良く、例えばパネル厚さが２５〜１５０ｍｍ程度のもの、より好ましくは下限値が５０ｍｍ程度以上、上限値が１００ｍｍ程度以下のものを用いるのが良い。
【００４１】
また本実施形態において、図４（ａ）に示すように、断熱パネル（１１）には、周囲４側面に、隣合う断熱パネル（１１）との接合用に接合部（１５ａ）（１５ｂ）が設けられている。すなわち周囲４側面のうち、隣合う２辺には、雄ざね部（１５ａ）が形成されるとともに、残り２辺には、雄ざね部（１５ａ）を嵌合し得る雌ざね部（１５ｂ）が形成されている。
【００４２】
この構成の複数の断熱パネル（１１）が、その雄ざね部（１５ａ）を隣合う断熱パネル（１１）の雌ざね部（１５ｂ）に嵌合しつつ、設置面（１）上に面状に並んで敷設される。これにより、設置面（１）上の全域にわたって複数の断熱パネル（１１）からなる断熱層（１０）が形成される。
【００４３】
この敷設状態において、各断熱パネル（１１）は、設置面（１）に載置するだけでも良いが、湧水による浮き上がりや位置ずれ等を防止するために、設置面（１）に対し接着施工するのが良い。
【００４４】
また本実施形態においては、隣合う断熱パネル（１１）間に防湿処理が行われて、断熱層（１０）の表裏間における水分の移動が遮断される。この防湿処理としては、例えば図４（ａ）に示すように、隣合う断熱パネル（１１）間の目地部に沿って、その上面側に目地テープ（２１）を貼着して、パネル（１１）間の防湿を図る方法等を好適に用いることができる。
【００４５】
更にこれ以外の防湿処理としては、図４（ｂ）に示すように、隣合う断熱パネル（１１）間の接合部に、接着剤等のシール剤（２２）を配設したり、あるいは図４（ｃ）に示すように、断熱層（１０）の表面側全域に、防湿シート（２３）を敷設する方法等も好適に用いることができる。
【００４６】
ここで、防湿処理用に目地テープ（２１）を用いる場合には、そのテープ（２１）としてブチル系テープ、アスファルト系テープ、アクリル系テープ等の気密テープを好適に用いることができ、中でも粘着性を長期維持するものを用いるのが望ましい。
【００４７】
なお、本発明において、上記の目地テープ（２１）、シール剤（２２）及び防湿シート（２３）による防湿処理のうち、いずれか１つの処理を行うのが良いが、必要に応じて２つ以上の処理を併用して行うようにしても良い。
【００４８】
また、本実施形態においては、隣合う断熱パネル（１１）間を本ざね接合するように構成しているが、本発明はそれだけに限られず、例えば図５（ａ）に示すように、相じゃくり形状による接合方式を採用しても良いし、同図（ｂ）に示すように、斜めに接合し合うスカーフ形状による接合方式を採用しても良いし、同図（ｃ）に示すように、垂直面同士を接合し合うような突き合わせ接合方式を採用しても良いし、同図（ｄ）に示すように、スカーフ形状と垂直面接合とを組み合わせた変形スカーフ形状による接合方式を採用しても良い。更にこれらの接合方式を適宜組み合わせて接合するようにしても良い。
【００４９】
なお本発明においては、上記図５（ａ）ないし（ｄ）のように接合した場合であっても、目地テープ（２１）、シール剤（２２）及び防湿シート（２３）によるパネル間の防湿処理を上記と同様に行うことができる。更に、上記と同様に、これらの防湿処理のいずれかの処理を単独で行うことも、２つ以上の処理を併用して行うこともできる。
【００５０】
図１及び図３に示すように、台座（３０）は、断熱パネル（１１）の台座設置孔（１２）内に適合し得るように円柱状の形状を有しており、上面及び下面がそれぞれ平坦面に形成されている。更に台座（３０）の上面外周には、周方向に沿って連続して面取り部（３ａ）が形成されている。またこの台座（３０）は、その全域が台座設置孔（１２）内に収容されるように、台座設置孔（１２）の軸心方向寸法（断熱パネル（１１）の板厚）よりも小さく形成されている。
【００５１】
なお、台座（３０）の形状は、特に限定されるものではないが、台座設置孔（１２）の内周面との間のシールを確実に行えるように、台座設置孔（１２）の内周形状に対応する形状に形成するのが良い。すなわち本実施形態のように、台座設置孔（１２）が円柱形状の場合には、台座（３０）の形状も円柱形状に形成するのが良い。なお言うまでもよく、支持脚設置孔（１２）が多角柱形状やだ円柱形状の場合には、台座（３０）も多角柱形状やだ円柱形状に形成するのが良い。
【００５２】
台座（３０）は、硬質性及び非透湿性を有する材料により構成する必要がある。例えば台座（３０）としては、ゴム硬度（ＪＩＳ　Ｋ　６３０１のＡ形）が７０程度以上の天然ゴム又は合成ゴム等の弾性体からなるもの、非発泡の硬質の合成樹脂成形体や、低発泡（発泡倍率２〜３倍程度）の硬質の合成樹脂成形体からなるもの等を好適に用いることができる。更に台座（３０）用の合成樹脂材料としては、ポリエチレン樹脂、ポリプロピレン樹脂、ポリスチレン樹脂、ポリウレタン樹脂、フェノール樹脂、ＡＢＳ樹脂等を好適に用いることができる。
【００５３】
また台座（３０）は、上記の材料を、複数種組み合わせたものにより構成しても良い。例えば複数種の材料を高さ方向に積層して形成したものや、横断面方向に積層して形成したものや、径方向に積層して軸心部分と周囲部分とが異なる材質からなるもの等により構成するようにしても良い。
【００５４】
更に台座（３０）は、後に詳述するように、冷橋（ｃｏｌｄ　ｂｒｉｄｇｅ）現象や、熱橋（ｈｏｔ　ｂｒｉｄｇｅ）現象による悪影響を防止するために、良好な断熱性を有する材料、例えば独立気泡タイプの低発泡（発泡倍率２〜３倍程度）の硬質合成樹脂成形体からなるもの採用するのが好ましい。
【００５５】
なお、台座（３０）の材料としては、連続気泡タイプのものを用いることも可能である。この連続気泡タイプのものを用いる場合には、気泡が露出している部分に、防湿処理を施しておけば、確実に防湿性（非透湿性）を確保することができる。この防湿処理としては、例えば、気泡が露出している部分に、合成樹脂を塗布硬化させたり、金属箔シートを貼着したり、金属を溶射したりして、防湿層を形成する方法や、切断、鋸断により発生する摩擦熱を利用して、気泡が露出している部分を、その周辺の樹脂を溶融固化して気泡開放部を閉塞する方法等を好適に採用することができる。
【００５６】
上記構成の台座（３０）が、断熱層（１０）としての断熱パネル（１１）の各台座設置孔（１２）内に適合状態に収容されて、設置面（１）上に載置される。この台座（３０）は、必要に応じて、設置面（１）に対し接着剤によって固定するようにしても良い。
【００５７】
こうして台座（３０）を設置孔（１２）内に設置した状態においては、台座（３０）の上端面外周に面取り部（３ａ）が形成されているため、この面取り部（３ａ）と台座設置孔（１２）の内周面との間に、周方向に沿って連続するシール剤配設溝が形成される。
【００５８】
そして、このシール剤配設溝（３ａ）内に沿って接着剤ないしはシール剤（３５）が流し込まれて、台座（３０）の外周面と台座設置孔（１２）の内周面との間の密封（防湿）が図られて、断熱層（１０）の表裏間における水分、湿気の移動が確実に防止される。
【００５９】
なお、本発明においては、台座（３０）の外周面は、台座設置孔（１２）の内周面に対し必ずしも密接（接触）している必要はなく、多少離間されていても良い。この場合には、その離間部分にシール剤（３５）を充填することにより、台座（３０）及び台座設置孔（１２）間のシールを確実に図ることができる。もっとも、本発明においては、台座（３０）の外周面が、台座設置孔（１２）の内周面に対し密接している方が、両者間のシールをより確実に行うことができるため、上記したように台座（３０）の形状を、台座設置孔（１２）に適合する形状に形成して、両者間を密接させるよう構成するのが好ましい。
【００６０】
更に本実施形態においては、台座（３０）の上端外周に面取り部（３ａ）によるシール剤配設溝を形成しているため、その溝内にシール剤（３５）を流し込むことにより、台座（３０）及び設置孔（１２）間の隙間にシール剤（３５）を適切に配設することができ、シール剤（３５）の配設作業、つまり密封作業を容易に行うことができる。
【００６１】
ここで本実施形態においては、台座（３０）の高さ寸法を断熱パネル（１１）の板厚よりも小さく設定しているが、本発明においては、台座（３０）の高さ寸法をパネル厚と同程度に、又はパネル厚よりも大きく設定するようにしても良い。
【００６２】
例えば、台座（３０）の高さ寸法を、パネル厚と同程度に設定する場合には、上記実施形態と同様に、台座（３０）の上端外周に面取り部（３ａ）を形成して、台座設置孔（１２）の内周面との間にシール剤配設溝を形成するようにしても良いし、図６（ａ）に示すように断熱パネル（１１）の上面側における台座設置孔（１２）の内周縁部に沿って面取り部（３ｂ）を形成して、台座（３０）との間にシール剤配設溝を形成するようにしても良いし、同図（ｂ）に示すように、台座（３０）側及び断熱パネル（１１）側の双方に面取り部（３ａ）（３ｂ）を形成して、両面取り部（３ａ）（３ｂ）によりシール剤配設溝を形成するようにしても良い。更には、同図（ｃ）に示すように、面取り部等を形成せずに、断熱パネル（１１）の上面側における台座（３０）外周と設置孔（１２）内周との間に沿って、粘着テープ、接着テープ等のシール用テープ（３６）を貼着して、台座（３０）外周面と設置孔（１２）内周面との間のシールを行うようにしても良い。更にテープによる防湿処理と、シール剤による防湿処理とを併用するようにしても良い。なお、シール用テープ（３６）としては、例えば、ブチル系テープ、アスファルト系テープ、アクリル系テープ等の気密テープを好適に用いることができ、中でも粘着性を長期維持するものを用いるのが望ましい。
【００６３】
また図示は省略するが、台座（３０）の高さ寸法を断熱パネル（１１）の板厚よりも大きく設定する場合には、断熱パネル（１１）の上面側における台座設置孔（１２）の内周縁部に沿って面取り部（３ｂ）を形成することにより、台座（３０）外周面と設置孔（１２）内周面との間にシール剤配設溝を確実に形成することができ、その溝内にシール剤を充填することにより、両者間のシールを確実に図ることができる。
【００６４】
なお本発明においては、上記の面取り部を必ずしも形成する必要はなく、更にシール用テープも必ずしも設ける必要はない。
【００６５】
図１及び図７に示すように、支持脚（４０）は、円形の基板（４１）と、その基板（４１）の中心部に立設固定された支柱（４２）と、支柱（４２）の上端部に設けられたパネル受け板（４３）とを具備している。
【００６６】
支柱（４２）は、上下両端が開放されたパイプ部材からなり、外周面には雄ねじが刻設されている。この支柱（４２）の下端部が、基板（４１）に貫通状態に固定されて、支柱（４２）の下端開放部が基板（４１）の裏面側に開放されている。
【００６７】
またパネル受け板（４３）は、平面視矩形状に形成されており、その中心部に貫通状態にナット部材等の雌ねじ部材（４３ａ）が固定されている。この雌ねじ部材（４３ａ）に、支柱（４２）の上端部が螺着されて、支柱（４２）の上端開放部がパネル受け板（４３）の表面側に開放されている。
【００６８】
この支持脚（４０）においては、支柱（４２）をパネル受け板（４３）に対し回転操作することにより、支柱（４２）及び基板（４１）に対するパネル受け板（４３）の高さ位置を自在に調整することができるよう構成されている。
【００６９】
ここで、パネル受け板（４３）としては、合板等の木質材や、ＡＢＳ樹脂、ポリエチレン樹脂、ポリスチレン樹脂等の硬質合成樹脂低発泡体（発泡倍率３倍以下）等の釘止め可能な材料からなるもの、又はこれら材料を組み合わせてなるものを好適に用いることができる。
【００７０】
更に支柱（４２）としては、金属製のものや、合成樹脂製のものを好適に用いることができる。
【００７１】
更に基板（４１）としては、合成樹脂製のものや、ゴム製のものを好適に用いることができる。
【００７２】
この構成の支持脚（４０）の基板（４１）が、上記断熱パネル（１１）の台座設置孔（１２）内に収容された状態で、台座（３０）の上面に載置される。これにより、支持脚（４０）の下半部が台座設置孔（１２）内に収容配置されるとともに、支持脚（４０）の上端部におけるパネル受け板（４３）が、断熱層（１０）の上面から上方に所定の間隔をおいた位置に水平に配置される。
【００７３】
一方、閉塞カバー（５０）は、円盤形状を有しており、その中央に支柱挿通孔（５１）が形成されている。
【００７４】
この閉塞カバー（５０）が、その支柱挿通孔（５１）に支持脚（４０）の支柱（４２）を挿通させるようにして、断熱パネル（１１）の台座設置孔（１２）を上方から閉塞するように配置される。この閉塞状態では、閉塞カバー（５０）の外周下面側が断熱パネル（１１）における台座設置孔（１２）の内周縁部に接着剤や粘着剤を介して密着固定されるとともに、閉塞カバー（５０）における支柱挿通孔（５１）の内周面が支持脚（４０）における支柱（４２）の外周面に密着されて、台座設置孔（１２）の内部と断熱パネル（１１）の上側とが遮断されている。これにより、台座設置孔（１２）の内部における台座（３０）と閉塞カバー（５０）との間に、外部と遮断された空気断熱層が形成され、この空気断熱層によって、設置面（１）側と断熱層（１０）の上側との間の断熱が図られる。このため、例えば設置面（１）側の冷たさが断熱層（１０）の上側に伝達されるのが防止され、後に詳述するように断熱層（１０）の表裏間における温度差の違いによる不具合を防止することができる。
【００７５】
この閉塞カバー（５０）は、その形状や大きさは特に限定されるものではなく、台座設置孔（１２）をその上方から確実に閉塞できるような形状及び大きさを有するものであれば良い。もっとも、台座設置孔（１２）を効率良く閉塞するためには、本実施形態のように、閉塞カバー（５０）は、台座設置孔（１２）に対応した形状に形成するのが良い。
【００７６】
また閉塞カバー（５０）としては、木質材、天然ゴムや合成ゴム等のゴム材、合成樹脂等のシート、フィルム、板状部材からなるもの、又はこれらを複数組み合わせてなるものを好適に用いることができる。
【００７７】
更に閉塞カバー（５０）としては、断熱層（１０）の表裏間における防湿性を、より向上させるために、カバー自体に防湿性、防水性を有するものを採用するのが良い。
【００７８】
なお、閉塞カバー（５０）として、透湿性の木質材からなるものを用いる場合には、防湿性を付与するために、カバー（５０）の少なくとも片面に防湿処理を施しておくのが良い。例えば合成樹脂やゴムのシートないしはフィルムを貼着したり、合成樹脂等を塗布硬化させたりして、防湿性の合成樹脂層やゴム層を形成したり、更には金属箔を貼着して、防湿性の金属層を形成するようにすれば良い。
【００７９】
閉塞カバー（５０）は、断熱効果をより一層向上させるために、カバー自体に断熱性を有するものを採用するのが望ましい。例えば合成樹脂やゴムからなる発泡体、特に独立気泡タイプの発泡体を用いることにより、断熱性を向上させることができる。
【００８０】
また、閉塞カバー（５０）として、連続気泡タイプの発泡体からなるものを用いる場合には、上記の防湿処理を施しておくことにより、支障なく使用することができる。
【００８１】
ここで、閉塞カバー（５０）は、あらかじめ支持脚（４０）に取り付けておき、支持脚（４０）の施工と同時に閉塞カバー（５０）を断熱パネル（１１）に設置するのが良い。
【００８２】
閉塞カバー（５０）を支持脚（４０）に取り付けるには、例えば支持脚（４０）の支柱（４２）をパネル受け板（４３）から取り外しておいて、その支柱（４２）の上端を閉塞カバー（５０）の支柱挿通孔（５１）に挿入し、その後、支柱（４２）をパネル受け板（４３）に螺着することにより、閉塞カバー（５０）を支持脚（４０）に取り付けておくことができる。
【００８３】
更に図８に示すように、閉塞カバー（５０）にその外周端縁から支柱挿通孔（５１）に達する切込部（５２）を形成しておくことにより、閉塞カバー（５０）を、組付状態の支持脚（４０）に対し後付けで取り付けることができる。すなわち切込部（５２）に、支持脚（４０）の支柱（４２）を通して支柱挿通孔（５１）に配置するようにすれば良い。
【００８４】
更に図８に示すように、閉塞カバー（５０）に切込部（５２）を形成しておくことにより、支持脚（４０）を断熱パネル（１１）の台座設置孔（１２）内に設置した後に、上記のようにして、閉塞カバー（５０）を支持脚（４０）に取り付けることができる。
【００８５】
なお、閉塞カバー（５０）として、その下面側に接着剤や粘着剤等が塗布されて離型シートが貼着されたものを用いる場合には、その閉塞カバー（５０）を断熱パネル（１１）の表面における台座設置孔（１２）の内周縁部に接着する際に、離型シートを剥離するだけで簡単に接着することができ、施工作業を効率良くスムーズに行うことができる。
【００８６】
また閉塞カバー（５０）は、支持脚（４０）の支柱（４２）に差し込む場合や、断熱パネル（１１）に接着固定する場合には、支柱（４２）に接触させた状態で上下方向に移動させる必要があるため、この上下方向の移動操作を考慮すると、柔軟性を有するものを使用するのが好ましい。
【００８７】
この柔軟性や上記の防湿性及び断熱性等を全て考慮すると、閉塞カバー（５０）としては、独立気泡タイプの発泡体（発泡倍率１０〜５０倍）で、厚さが２〜１０ｍｍ程度のものを用いるのが、より一層好ましい。
【００８８】
図１及び図２に示すように、床下地材としての床下地パネル（６０）は、平面視矩形状を有しており、例えば合板、パーティクルボード等の木質材からなるものを好適に用いることができる。
【００８９】
この床下地パネル（６０）の四角部が、対応する支持脚（４０）のパネル受け板（４３）に支持されるようにして、釘類等の固着具により固定される。
【００９０】
こうして複数の床下地パネル（６０）が、断熱層（１０）から上方に所定間隔をおいた状態で面状に並んで配置されるように取り付けられる。この取付状態においては、隣合う床下地パネル（６０）の各間には、それぞれ隙間が形成されており、その隙間を利用して、支持脚（４０）のパネル受け板（４３）の上面側から支柱（４２）を回転操作することにより、各パネル受け板（４３）の高さを所定の高さ位置に調整し、各床下地パネル（６０）を水平状態に配置するものである。
【００９１】
支持脚（４０）の高さ調整を行った後には、必要に応じて、支持脚（４０）の台座（３０）に対する接着固定や、支柱（４２）の回り止めを行う。
【００９２】
例えば支柱（４２）の上端開放部から接着剤を注入して、その接着剤を支柱（４２）の下端開放部から基板（４１）の下面側に流出させることにより、基板（４１）を台座（３０）に接着固定する。
【００９３】
更に支柱（４２）の上端部外周に接着剤を流し込むことにより、支柱（４２）の外周面と雌ねじ部材（４３ａ）の内周面とを接着して、支柱（４２）のパネル受け板（４３）に対する回り止めを図るものである。ここで本実施形態においては、支柱外周面及び雌ねじ部材内周面間への接着剤の流し込みをスムーズに行えるように、支柱（４２）の外周面及び雌ねじ部材（４３ａ）の内周面のうち、少なくとも一方に接着剤誘導溝（図示省略）を形成しておくのが好ましい。
【００９４】
なお、支持脚（４０）の基板（４１）は、あらかじめ台座（３０）に接着固定しておいても良い。例えば支持脚（４０）を断熱パネル（１１）の台座設置孔（１２）内に収容する際に、あらかじめ基板（４１）の裏面側に接着剤を配設しておいて、その状態で基板（４１）を台座（３０）上に載置すれば良い。
【００９５】
また本発明においては、隣合う床下地パネル（６０）の隙間には、目地材を配置して、その隙間を閉塞しても良い。更に床下地パネル（６０）の下面全域等に断熱パネルを取り付けて、断熱層を形成するようにしても良い。
【００９６】
本実施形態の地下室用床下地は、以上のように構成されており、その床下地における床下地パネル（６０）の上面側に、必要に応じて合板等の捨張材を介して、木質床材、畳、カーペット等の床仕上げ材を施工して、地下室の床構造が形成されるものである。
【００９７】
本実施形態の床下地は、例えば以下の手順で組み付けられる。
【００９８】
まず、設置面（１）上に多数の断熱パネル（１１）を順次施工して断熱層（１０）を形成する。
【００９９】
次に、断熱パネル（１１）の台座設置孔（１２）に、台座（３０）を挿入して、台座外周にシール剤（３５）を流し込んで密封処理を施した後、隣合う断熱パネル（１１）間の防湿処理を行う。
【０１００】
続いて、支持脚（４０）の支柱（４２）に閉塞カバー（５０）を取り付けておき、そのカバー付きの支持脚（４０）を、断熱パネル（１１）の台座設置孔（１２）内に収容して、台座（３０）上に載置する。
【０１０１】
次に、床下地パネル（６０）を、支持脚（４０）のパネル受け板（４３）に固定するとともに、閉塞カバー（５０）を断熱パネル（１１）における台座設置孔（１２）の内周縁部に接着する。
【０１０２】
この床下地パネル（６０）の支持脚（４０）への固定作業と、閉塞カバー（５０）の断熱パネル（１１）への接着作業とを順次繰り返し行って、全ての床下地パネル（６０）を取り付ける。
【０１０３】
続いて、支持脚（４０）の高さ調整を行って、床下地パネル（６０）のレベリング作業を行う。
【０１０４】
そして最後に、支持脚（４０）における支柱（４２）の回り止めと、基板（４１）の接着固定とを行うものである。
【０１０５】
なお言うまでもなく、本発明における床下地（構造）の施工手順は上記の手順に限定されるものではない。
【０１０６】
以上のように、本実施形態の地下室用床下地は、乾式二重床工法であるため、コンクリート等の養生硬化期間を設ける必要がなく、その分、工期を短縮できるとともに、支持脚（４０）の伸縮操作（高さ調整）によって、床下地パネル（６０）のレベリング作業も容易に行うことができる。
【０１０７】
また本実施形態においては、設置面（１）上に非透湿性の断熱パネル（６０）を敷設するとともに、断熱パネル（１１）の台座設置孔（１２）に台座（３０）を密封状態に配置するものであるため、地中から浸入して設置面（１）の表面に表出した水分は、断熱パネル（１１）及び台座（３０）によって遮断されることにより、断熱パネル（１１）の表面側に浸入するのを防止でき、断熱層（１０）及び床下地パネル（６０）間の床下空間における湿度が過度に上昇するのを防止することができる。このため、床下地パネル（６０）における水分含有量の増大を防止でき、例えば高温の床上空間の影響を受けて、床下地パネル（６０）の温度が上昇したとしても、カビが発生する等の不具合を防止することができる。更に床下空間において支持脚（４０）に多量の水分が付着するのを防止できるため、支持脚（４０）の腐食劣化等の不具合も有効に防止することができる。
【０１０８】
更に本実施形態においては、台座（３０）の外周面（３０）と設置孔（１２）内周面との間にシール剤（３５）を流し込んで、その間を確実に防湿するものであるため、台座設置孔（１２）の部分においても、より確実に防湿することができ、上記床下空間の湿度上昇による不具合をより確実に防止することができる。
【０１０９】
しかも本実施形態においては、隣合う断熱パネル（１１）間の接合部に防湿性の目地テープ（２２）を貼着する等にて、パネル（１１）間も確実に防湿するものであるため、床下空間内への水分の浸入を、より一層確実に防止することができる。
【０１１０】
また本実施形態においては、設置面（１）上に断熱層（１０）を形成するものであるため、設置面（１）側から床下空間への熱による悪影響を回避することができ、床下及び床上間の温度差を小さくすることができる。このため例えば、床上空間に対し床下空間の温度が極端に低下することがなく、床下地パネル（６０）やその上の床仕上げ面の表面側に結露が発生する等の不具合を確実に防止することができる。
【０１１１】
なお、本実施形態においては、断熱パネル（１１）の台座設置孔（１１）内に、断熱性を有する台座（３０）を密封状態に配置するものであるため、台座設置孔（１１）の部分においても十分に断熱性を得ることができ、上記の設置面（１）側からの熱による悪影響を確実に回避することができる。
【０１１２】
更に本実施形態においては、断熱パネル（１１）における台座設置孔（１１）を閉塞カバー（５０）により閉塞して、台座設置孔（１１）の上部に空気断熱層を形成しているため、台座設置孔（１１）の部分における断熱性を向上させることができ、上記熱による悪影響をより確実に防止することができる。
【０１１３】
しかも、台座設置孔（１１）を閉塞する閉塞カバー（５０）自体の防湿効果によっても、設置孔部分の防湿性を向上させることができるので、上記床下空間内への水分の浸入による悪影響を、より一層確実に防止することができる。
【０１１４】
また本実施形態においては、台座（３０）自体に断熱性が設けられているため、台座（３０）の裏面側の熱が表面側に伝達するのを防止することができる。このため、設置面（１）上の支持脚（４０）を熱媒体として、設置面（１）側の冷気が床下空間に伝達されるという冷橋（ｃｏｌｄ　ｂｒｉｄｇｅ）現象を防止でき、床下空間内において支持脚（４０）に結露が発生する等の不具合を防止することができる。
【０１１５】
なお、上記実施形態においては、本発明の床下地構造を地下室の床下地に適用した場合について説明したが、本発明はそれだけに限られず、地下室以外の床下地にも適用することができ、同様の効果を得ることができる。
【０１１６】
【発明の効果】
以上のように、本第１発明の床下地構造によれば、コンクリートスラブ面等の設置面上に断熱層を形成するとともに、その断熱層の台座設置孔内に密封状態に台座を設置し、台座上に配置した支持脚を介して、床下地材を施工するものであるため、断熱層及び台座の防湿作用にって、設置面表面側の水分が断熱層表面側に浸入するのを防止でき、断熱層及び床下地材間の床下空間における湿度が過度に上昇するのを防止することができる。このため、床下地材における水分含有量の増大を防止でき、床上空間の温度影響により床下地材下面側の温度が上昇したとしても、カビが発生する等の不具合を防止することができる。また、設置面上に断熱層を形成するものであるため、設置面側から床下空間への熱による悪影響を回避でき、床下及び床上間の温度差を小さくすることができる。このため例えば、床上空間に対し床下空間の温度が極端に低下するのを防止でき、床下地材上の床仕上げ面表面に結露が発生する等の不具合を確実に防止することができる。更に本発明は、コンクリート等の養生硬化材等を用いない二重床乾式工法であるため、養生期間が不要となり、その分、工期を短縮できるとともに、支持脚の高さ調整によって、床下地パネルのレベリング作業も容易に行うことができるという効果がある。
【０１１７】
本第１発明において、断熱層における台座設置孔の上端に閉塞カバーを取り付ける場合には、台座設置孔の上部に空気断熱層が形成されるため、台座設置孔の部分における断熱性を向上させることができ、上記熱による悪影響をより確実に防止することができるという利点がある。
【０１１８】
本第１発明において、台座の外周面と前記台座設置孔の内周面との間を、シール剤により密封する場合には、台座設置孔の部分を、より確実に防湿することができ、床下空間内への水分の浸入をより確実に防止でき、床下空間内の湿度上昇による不具合をより確実に防止することができるという利点がある。
【０１１９】
本第１発明において、断熱層を構成する複数の断熱パネルの接合部に、防湿処理を施す場合には、床下空間内への水分の浸入を、より一層確実に防止することができるという利点がある。
【０１２０】
本第２発明は、上記第１発明の床下地構造を適用した地下室用床下地を特定するものであるため、上記と同様の効果を得ることができる。
【図面の簡単な説明】
【図１】この発明の実施形態が適用された地下室用床下地を示す断面図である。
【図２】実施形態の地下室用床下地を示す平面図である。
【図３】実施形態の地下室用床下地を分解して示す斜視図である。
【図４】この発明に適用可能な断熱パネル間の防湿構造を示す断面図である。
【図５】この発明に適用可能な断熱パネル間の接合構造を示す断面図である。
【図６】この発明の変形例である床下地の台座周辺を示す断面図である。
【図７】実施形態の地下室用床下地に適用された支持脚を示す斜視図である。
【図８】この発明の変形例としての閉塞カバーを示す平面図である。
【符号の説明】
１…設置面
１０…断熱層
１１…断熱パネル（断熱材）
１２…台座設置孔
２１…目地テープ
２２…シール剤
２３…防湿シート
３０…台座
３５…シール剤
４０…支持脚
５０…閉塞カバー
６０…床下地パネル（床下地材）
【図１】
2004068345.tif 000003
【図２】
2004068345.tif 000004
【図３】
2004068345.tif 000005
【図４】
2004068345.tif 000006
【図５】
2004068345.tif 000007
【図６】
2004068345.tif 000008
【図７】
2004068345.tif 000009
【図８】
2004068345.tif 000010